(57)【特許請求の範囲】
【請求項１】
表示手段を具備する三以上の電話機と接続されているキーテレホン装置であって、
所定の識別番号が設定された電話機接続ポートであって前記三以上の電話機のそれぞれについて接続されている電話機接続ポートと、
前記三以上の電話機を構成する第一の電話機のループ信号を検出した場合に、使用されていない状態の電話機接続ポートに係る識別番号を前記第一の電話機の表示手段に表示させるため当該識別番号を前記第一の電話機に送信する手段と、
前記第一の電話機に送信した識別番号のうちから前記第一の電話機で選択された識別番号に係る電話機接続ポートに接続されている電話機である第二の電話機の表示手段に前記第一の電話機が接続されている電話機接続ポートに係る識別番号を表示させるための当該識別番号と、前記第二の電話機に呼出音を出力させるための内線呼出信号とを前記第二の電話機に送信する手段と、
前記内線呼出信号を送信した前記第二の電話機からのループ信号を検出すれば、前記第二の電話機と前記第一の電話機とを接続する手段と、
を備えたことを特徴とするキーテレホン装置。
【請求項２】
表示手段を具備する三以上の電話機と接続されているキーテレホン装置であって、
所定の識別番号が設定された公衆通信回線接続ポートであって複数の公衆通信回線のそれぞれについて接続されている公衆通信回線接続ポートと、
前記三以上の電話機を構成する第一の電話機のループ信号を検出した場合に、使用されていない状態の公衆通信回線接続ポートに係る識別番号を前記第一の電話機の表示手段に表示させるため当該識別番号を前記第一の電話機に送信する手段と、
前記第一の電話機に送信した識別番号のうちから前記第一の電話機で選択された識別番号を前記第一の電話機から受信すれば、前記選択された識別番号に係る公衆通信回線接続ポートを特定し、当該公衆通信回線接続ポートに接続された公衆通信回線と前記第一の電話機とを接続する手段と、
を備えたことを特徴とするキーテレホン装置。
【請求項３】
三以上の電話機と、前記三以上の電話機と接続されているキーテレホン装置とからなるキーテレホンシステムであって、
前記キーテレホン装置は、
所定の識別番号が設定された電話機接続ポートであって前記三以上の電話機のそれぞれについて接続されている電話機接続ポートと、
前記三以上の電話機を構成する第一の電話機のループ信号を検出した場合に、使用されていない状態の電話機接続ポートに係る識別番号を前記第一の電話機に通知する通知手段と、
前記第一の電話機に通知した識別番号のうちから前記第一の電話機で選択された識別番号に係る電話機接続ポートに接続されている電話機に、前記第一の電話機が接続されている電話機接続ポートに係る識別番号と内線呼出信号とを送信する手段と、
前記内線呼出信号を送信した電話機からのループ信号を検出すれば、当該電話機と前記第一の電話機とを接続する手段と、
を備え、前記電話機は、前記通知手段に基づいて前記識別番号を表示する表示手段を備えたことを特徴とするキーテレホンシステム。
【請求項４】
三以上の電話機と、前記三以上の電話機と接続されているキーテレホン装置とからなるキーテレホンシステムであって、
前記キーテレホン装置は、
所定の識別番号が設定された公衆通信回線接続ポートであって複数の公衆通信回線のそれぞれについて接続されている公衆通信回線接続ポートと、
前記三以上の電話機を構成する第一の電話機のループ信号を検出した場合に、使用されていない状態の公衆通信回線接続ポートに係る識別番号を前記第一の電話機に通知する通知手段と、
前記第一の電話機に通知した識別番号のうちから前記第一の電話機で選択された識別番号を前記第一の電話機から受信すれば、前記選択された識別番号に係る公衆通信回線接続ポートを特定し、当該公衆通信回線接続ポートに接続された公衆通信回線と前記第一の電話機とを接続する手段と、
を備え、前記電話機は、前記通知手段に基づいて前記識別番号を表示する表示手段を備えたことを特徴とするキーテレホンシステム。
【発明の詳細な説明】
【０００１】
【発明の属する技術分野】
本発明は、キーテレホン装置及びキーテレホンシステム、特に電話機を用いたキーテレホン装置及びキーテレホンシステムに関する。
【０００２】
【従来の技術】
一般に、キーテレホンシステムは、使用されている公衆通信回線を点灯により表示する選択ボタンが設けられた専用電話機と発呼及び着呼に関する制御を行うキーテレホン装置と電話局（交換機）に収容される公衆通信回線とが接続されてなるものである。
このような従来のキーテレホンシステムにあっては、使用されている公衆通信回線を選択ボタンの点灯により利用者に確認させ、使用されていない公衆通信回線に対応した前記選択ボタンを押下させることにより、複数の公衆通信回線の中から、特定の公衆通信回線を選択させ、専用電話機と公衆通信回線との通話路を接続させる。
一方、公衆通信回線からキーテレホンシステムに着信があった場合、着信のあった公衆通信回線に対応する前記選択ボタンを利用者に押下させることにより、利用者が使用している専用電話機と着信のあった公衆通信回線とを接続する。
また、一般に、キーテレホンシステムを構成する専用電話機とキーテレホン装置との間の電話機回線は、通話信号の中にキーテレホン装置から前記専用電話機に送信されるランプ点灯信号などが紛れ込むと雑音を生じさせる原因となるため、通話に必要とされる２線以外に前記ランプ点灯信号等のデータを送受信するための２線を設けて、合計４本線の４線式回線としている。
【０００３】
次に、このような従来の４線式キーテレホンシステムにつき、図５を参照して説明する。
従来の４線式キーテレホンシステムは、専用電話機Ｅ１、Ｅ２、…、Ｅｎと電話機回線Ｆ１、Ｆ２、…、Ｆｎとキーテレホン装置２と公衆通信回線Ｂ１、Ｂ２、…、Ｂｎとから構成される。
専用電話機Ｅ１、Ｅ２、…、Ｅｎは、選択ボタン（図示せず）及び通話インターフェイス部８及び通話制御部７が設けられている。ここで、選択ボタンは、複数の公衆通信回線Ｂ１、Ｂ２、…、Ｂｎの各々に対応し、押下によって特定の公衆通信回線を選択させるものである。
電話機回線Ｆ１、Ｆ２、…、Ｆｎは、通話に必要とされる２線以外に前記ランプ点灯信号等のデータを送受信するための２線が設けられた合計４本線の４線式回線である。
また、一の専用電話機Ｅ１に設けられた通話インターフェイス部８は、他の専用電話機Ｅ２、…Ｅｎとの通話又は公衆通信回線Ｂ１、Ｂ２、…、Ｂｎとを接続するものである。
通話制御部７は、キーテレホン装置２に対して、オフフック状態を示すループ信号と特定の前記選択ボタンを押下したことを示すランプ点灯信号とを送信すると共に、キーテレホン装置２から特定の選択ボタンを点灯させるボタン点灯信号を受信する。
【０００４】
キーテレホン装置２は、電話機接続ポート部Ｃ１、Ｃ２、…Ｃｎと加入者インターフェイス部と接続スイッチ３と制御部４とから構成される。
電話機接続ポート部Ｃ１、Ｃ２、…Ｃｎは、専用電話機Ｅ１、Ｅ２、…、Ｅｎとのインターフェイスであって、専用電話機Ｅ１、Ｅ２、…、Ｅｎのオフフックによるループ信号を検知し、制御部４に通知するものである。
公衆通信回線接続ポートＤ１、Ｄ２、…Ｄｎは、公衆通信回線Ｂ１、Ｂ２、…、Ｂｎとのインターフェイスであって、公衆通信回線Ｂ１、Ｂ２、…、Ｂｎの着信を検知し、制御部４に通知するものである。
接続スイッチ３は、公衆通信回線Ｂ１、Ｂ２、…、Ｂｎと専用電話機Ｅ１、Ｅ２、…、Ｅｎとの通話路又は専用電話機Ｅ１、Ｅ２、…Ｅｎ同士を接続させるものである。
制御部４は、公衆通信回線Ｂ１、Ｂ２、…、Ｂｎに着信があった際に、公衆通信回線接続ポートＤ１、Ｄ２、…Ｄｎが検知した着信から、着信のあった公衆通信回線Ｂ１、Ｂ２、…、Ｂｎを特定すると共に、その公衆通信回線Ｂ１、Ｂ２、…、Ｂｎに対応するランプ点灯信号を生成し、専用電話機Ｅ１、Ｅ２、…、Ｅｎに送信するものである。
また、専用電話機Ｅ１から公衆通信回線Ｂ１に対して発信があった際、制御部４は、公衆通信回線Ｂ１に対応する選択ボタンが押下されて点灯したことを示すランプ点灯信号と電話機接続ポート部Ｃ１から受信したループ信号とに基づいて、専用電話機Ｅ１を特定すると共に、その専用電話機Ｅ１が選択した公衆通信回線Ｂ１に対応するランプ点灯信号を専用電話機Ｅ２、…、Ｅｎに送信する。
また、公衆通信回線Ｂ１、Ｂ２、…、Ｂｎと専用電話機Ｅ１、Ｅ２、…、Ｅｎとの通話路、又は一の専用電話機Ｅ１と他の専用電話機Ｅ２、…、Ｅｎとを接続する指示を接続スイッチ３に送信する。
【０００５】
次に、従来のキーテレホンシステムの動作につき、図５を参照して説明する。専用電話機Ｅ１から通話信号が送信される場合、専用電話機Ｅ１がオフフックすると通話制御部７からループ信号が電話機接続ポート部Ｃ１に送信される。この際、専用電話機Ｅ１の選択ボタンにより複数の公衆通信回線Ｂ１、Ｂ２、…、Ｂｎのうち、一の公衆通信回線が選択されず、単に公衆通信回線Ｂ１，Ｂ２、…Ｂｎのうち、何れか一の回線の使用を希望した場合には、キーテレホン装置２の制御部４が使用されていない公衆通信回線Ｂ１、Ｂ２、…、Ｂｎ、すなわち使用可能な公衆通信回線Ｂ１、Ｂ２、…、Ｂｎを検知し、その公衆通信回線Ｂ１、Ｂ２、…、Ｂｎのうち、公衆通信回線Ｂ１とオフフックした専用電話機Ｅ１とを接続する指示を接続スイッチ３に送信する。
次に、制御部４は、接続スイッチ３に対して、公衆通信回線接続ポートに専用電話機Ｅ１から受信したループ信号を公衆通信回線Ｂ１に送信する指示を通知する。
最後に、接続スイッチ３は、専用電話機Ｅ１に接続された電話機接続ポート部Ｃ１と公衆通信回線Ｂ１に接続された公衆通信回線接続ポートＤ１とを接続することにより、専用電話機Ｅ１と公衆通信回線Ｂ１とを接続する。
【０００６】
また、公衆通信回線Ｂ１からのキーテレホン装置２に着信があった場合について説明する。
まず、電話局の交換機（図示せず）から呼び出し信号が送信されると、その交換機に接続された公衆通信回線Ｂ１を介して呼び出し信号がキーテレホン装置２に送信される。
次に、キーテレホン装置２の公衆通信回線接続ポートＤ１は、公衆通信回線Ｂ１からの着信を検知し、制御部４に通知する。
次に、公衆通信回線接続ポートから通知を受けた制御部４は、着信のあった公衆通信回線Ｂ１を特定すると共に、その公衆通信回線Ｂ１に対応するランプ点灯信号を生成し、専用電話機Ｅ１、Ｅ２、…Ｅｎに送信する。
次に、通話制御部７によりランプ点灯信号を受信した専用電話機Ｅ１、Ｅ２、…Ｅｎは、ランプ点灯信号に対応した選択ボタンを点灯させて、利用者に着信を通知する。
次に、例えば、利用者により、専用電話機Ｅ１の選択ボタンの押下及びオフフックが行われ、通話制御部７から電話機接続ポート部Ｃ１に対して、オフフックによるループ信号と選択ボタンの選択によるランプ点灯信号とが送信される。
次に、電話機接続ポート部Ｃ１は、前記ループ信号及びランプ点灯信号を検知し、制御部４に対して特定の専用電話機がオフフックし、選択ボタンを選択したことを通知する。
最後に、制御部４は、ランプ点灯信号及びループ信号を送信した専用電話機Ｅ１と着信のあった公衆通信回線Ｂ１との通話を接続させるために、接続スイッチ３をスイッチングさせ、通話路を確立させる。
【０００７】
【発明が解決しようとする課題】
以上に説明した従来のキーテレホン装置及びキーテレホンシステムにあっては、仕様に統一性がなく、各々のキーテレホン装置及びキーテレホンシステムに対応する専用の電話機を購入する必要があった。そのような専用の電話機の購入にあっては、電話機に比べて多大なコストを要した。
さらに、ダイヤルアップ式インターネット接続などに使用されるモデム等によるモジュラージャック接続を利用するためには特別な機器又は手段を設置しなければならなかった。
【０００８】
本発明は、汎用性が高く、安価な一般家庭用の電話機を使用することができるキーテレホン装置及びキーテレホンシステムを提供することを目的とする。
【０００９】
【課題を解決するための手段】
上述の課題を解決する本出願第１の発明は、表示手段を具備する三以上の電話機と接続されているキーテレホン装置であって、所定の識別番号が設定された電話機接続ポートであって前記三以上の電話機のそれぞれについて接続されている電話機接続ポートと、前記三以上の電話機を構成する第一の電話機のループ信号を検出した場合に、使用されていない状態の電話機接続ポートに係る識別番号を前記第一の電話機の表示手段に表示させるため当該識別番号を前記第一の電話機に送信する手段と、前記第一の電話機に送信した識別番号のうちから前記第一の電話機で選択された識別番号に係る電話機接続ポートに接続されている電話機である第二の電話機の表示手段に前記第一の電話機が接続されている電話機接続ポートに係る識別番号を表示させるための当該識別番号と、前記第二の電話機に呼出音を出力させるための内線呼出信号とを前記第二の電話機に送信する手段と、前記内線呼出信号を送信した前記第二の電話機からのループ信号を検出すれば、前記第二の電話機と前記第一の電話機とを接続する手段とを備えたことを特徴とするキーテレホン装置である。
かかる構成を採用することにより、電話機を含む汎用の周辺機器を採用してキーテレホンシステムを構成することができるため、キーテレホンシステムの導入コストを大幅に低減させると共に、汎用性を向上させることができる。
また、一般家庭用の電話機を採用することができることから、特殊な機器又は手段を必要とせずに、汎用のモデム等を利用したモジュラージャック接続によるダイヤルアップ式インターネット接続などを簡易かつ安価に実現することができる。
すなわち、利用者は、量産された低価格な汎用の周辺機器を利用することができることから、キーテレホン装置の低コスト化及び利便性の向上を実現することができる。
また、汎用性の高い電話機、例えば、ナンバーディスプレイ機能付き電話機等を採用することができる。
さらに、前記表示手段は、前記電話機に接続された電子計算機端末の表示画面、例えば、ＣＲＴ又はＴＦＴ液晶画面であっても良い。
【００１０】
また、本出願第２の発明は、表示手段を具備する三以上の電話機と接続されているキーテレホン装置であって、所定の識別番号が設定された公衆通信回線接続ポートであって複数の公衆通信回線のそれぞれについて接続されている公衆通信回線接続ポートと、前記三以上の電話機を構成する第一の電話機のループ信号を検出した場合に、使用されていない状態の公衆通信回線接続ポートに係る識別番号を前記第一の電話機の表示手段に表示させるため当該識別番号を前記第一の電話機に送信する手段と、前記第一の電話機に送信した識別番号のうちから前記第一の電話機で選択された識別番号を前記第一の電話機から受信すれば、前記選択された識別番号に係る公衆通信回線接続ポートを特定し、当該公衆通信回線接続ポートに接続された公衆通信回線と前記第一の電話機とを接続する手段とを備えたことを特徴とするキーテレホン装置である。
かかる構成を採用することにより、電話機を含む汎用の周辺機器を採用してキーテレホンシステムを構成することができるため、キーテレホンシステムの導入コストを大幅に低減させると共に、汎用性を向上させることができる。
また、一般家庭用の電話機を採用することができることから、特殊な機器又は手段を必要とせずに、汎用のモデム等を利用したモジュラージャック接続によるダイヤルアップ式インターネット接続などを簡易かつ安価に実現することができる。
すなわち、利用者は、量産された低価格な汎用の周辺機器を利用することができることから、キーテレホン装置の低コスト化及び利便性の向上を実現することができる。
また、汎用性の高い電話機、例えば、ナンバーディスプレイ機能付き電話機等を採用することができる。
さらに、前記表示手段は、前記電話機に接続された電子計算機端末の表示画面、例えば、ＣＲＴ又はＴＦＴ液晶画面であっても良い。
【００１２】
また、上述の課題を解決するための本出願第３の発明は、三以上の電話機と、前記三以上の電話機と接続されているキーテレホン装置とからなるキーテレホンシステムであって、前記キーテレホン装置は、所定の識別番号が設定された電話機接続ポートであって前記三以上の電話機のそれぞれについて接続されている電話機接続ポートと、前記三以上の電話機を構成する第一の電話機のループ信号を検出した場合に、使用されていない状態の電話機接続ポートに係る識別番号を前記第一の電話機に通知する通知手段と、前記第一の電話機に通知した識別番号のうちから前記第一の電話機で選択された識別番号に係る電話機接続ポートに接続されている電話機に、前記第一の電話機が接続されている電話機接続ポートに係る識別番号と内線呼出信号とを送信する手段と、前記内線呼出信号を送信した電話機からのループ信号を検出すれば、当該電話機と前記第一の電話機とを接続する手段とを備え、前記電話機は、前記通知手段に基づいて前記識別番号を表示する表示手段を備えたことを特徴とするキーテレホンシステムである。
【００１３】
また、本出願第４の発明は、三以上の電話機と、前記三以上の電話機と接続されているキーテレホン装置とからなるキーテレホンシステムであって、前記キーテレホン装置は、所定の識別番号が設定された公衆通信回線接続ポートであって複数の公衆通信回線のそれぞれについて接続されている公衆通信回線接続ポートと、前記三以上の電話機を構成する第一の電話機のループ信号を検出した場合に、使用されていない状態の公衆通信回線接続ポートに係る識別番号を前記第一の電話機に通知する通知手段と、前記第一の電話機に通知した識別番号のうちから前記第一の電話機で選択された識別番号を前記第一の電話機から受信すれば、前記選択された識別番号に係る公衆通信回線接続ポートを特定し、当該公衆通信回線接続ポートに接続された公衆通信回線と前記第一の電話機とを接続する手段とを備え、前記電話機は、前記通知手段に基づいて前記識別番号を表示する表示手段を備えたことを特徴とするキーテレホンシステムである。
【００１５】
【発明の実施の形態】
（実施の形態１）
本発明の実施の形態１のキーテレホン装置及びキーテレホンシステムにつき図面を参照して説明する。
図１に示すように、本実施形態のキーテレホンシステムは、複数の内部電話機Ａ１、Ａ２、…、Ａｎと複数の公衆通信回線Ｂ１、Ｂ２、…、Ｂｎとの間又は複数の内部電話機Ａ１、Ａ２、…、Ａｎ同士の間で送受信される発呼信号及び着呼信号を中継又は制御するキーテレホン装置（以下、キーテレホン装置２）と、利用者が利用する液晶画面等の表示手段１が設けられた複数の２線式の内部電話機（以下、内部電話機Ａ１、Ａ２、…、Ａｎ）と、その内部電話機Ａ１、Ａ２、…、Ａｎに各々収容されると共に、前記キーテレホン装置２に接続される電話機回線Ｆ１、Ｆ２、…、Ｆｎと、交換機（図示せず）を介して外部電話機（図示せず）とキーテレホン装置２とを接続する通信回線である複数の公衆通信回線Ｂ１、Ｂ２、…、Ｂｎと、から構成される。
ここで、外部電話機とは、キーテレホン装置２に公衆通信回線Ｂ１、Ｂ２、…、Ｂｎを介して接続された電話機を指す。すなわち、内部電話機Ａ１、Ａ２、…、Ａｎは、キーテレホン装置２に公衆通信回線Ｂ１、Ｂ２、…、Ｂｎを介して接続された電話機を除く電話機を指す。
【００１６】
ここで、表示手段１が設けられた内部電話機Ａ１、Ａ２、…、Ａｎは、例えば、アナログ回線又はデジタル回線のナンバーディスプレイ付き電話機等である。ここで言う内部電話機Ａ１、Ａ２、…、Ａｎは、キーテレホンシステム又はキーテレホン装置２に特化した専用内部電話機とは異なり、一般家庭で通話のために利用されているものである。また、内部電話機Ａ１、Ａ２、…、Ａｎは、オフフック時にループ信号を送出し、オンフック時にはループ信号を送出しない。すなわち、内部電話機Ａ１、Ａ２、…、Ａｎは、ループ信号を送出しないことにより、内部電話機Ａ１、Ａ２、…、Ａｎに収容された電話機回線Ｆ１、Ｆ２、…、Ｆｎが接続可能な状態、すなわち空き回線であることをキーテレホン装置に通知する。
また、電話機回線Ｆ１、Ｆ２、…、Ｆｎは、内部電話機Ａ１、Ａ２、…、Ａｎとキーテレホン装置２との間で送受信される情報又は信号の物理媒体であって、通話に必要とされる一対の回線から構成される合計２本線の２線式回線であることが好ましい。具体的には、電話機回線は、送信回線及び受信回線からなる通信回線である。さらに、内部電話機Ａ１、Ａ２、…、Ａｎと公衆通信回線Ｂ１、Ｂ２、…、Ｂｎとの通話は、電話機回線Ｆ１、Ｆ２、…、Ｆｎと公衆通信回線Ｂ１、Ｂ２、…、Ｂｎとが接続されることにより接続される。
【００１７】
また、キーテレホン装置２は、内部電話機Ａ１、Ａ２、…、Ａｎに電話機回線Ｆ１、Ｆ２、…、Ｆｎを介して接続された内部電話機接続ポートＣ１、Ｃ２、…、Ｃｎと、公衆通信回線Ｂ１、Ｂ２、…、Ｂｎに接続された公衆通信回線接続ポートＤ１、Ｄ２、…、Ｄｎと、内部電話機Ａ１、Ａ２、…、Ａｎ同士、又は内部電話機Ａ１、Ａ２、…、Ａｎと公衆通信回線Ｂ１、Ｂ２、…、Ｂｎとの接続を行う接続スイッチ３と、キーテレホン装置２を制御する制御部４と、内部電話機接続ポートＣ１、Ｃ２、…、Ｃｎ及び公衆通信回線接続ポートＤ１、Ｄ２、…、Ｄｎごとに設定された所定の番号を、内部電話機Ａ１、Ａ２、…、Ａｎに設けられた表示手段１に表示可能に送出すると共に、内部電話機Ａ１、Ａ２、…、Ａｎからダイヤルされた所定の番号を受信して、内部電話機Ａ１、Ａ２、…、Ａｎ又は外部電話機、すなわち公衆通信回線Ｂ１、Ｂ２、…、Ｂｎとの接続の判断を行い、制御部４に対してメッセージを送出するガイダンス送出部５とから構成される。
ここで、制御部４が行うキーテレホン装置２の制御とは、電話機回線Ｆ１、Ｆ２、…、Ｆｎを介して行う内部電話機Ａ１、Ａ２、…、Ａｎ同士の接続、及び電話機回線Ｆ１、Ｆ２、…、Ｆｎ及び公衆通信回線Ｂ１、Ｂ２、…、Ｂｎを介して行う内部電話機Ａ１、Ａ２、…、Ａｎと外部電話機との接続、及びガイダンス送出部５に対する所定の番号の送出指示、及びガイダンス送出部５に送信され、表示手段１に表示される所定の番号の配列決定等を指す。
所定の番号とは、内部電話機接続ポートＣ１、Ｃ２、…、Ｃｎ毎及び公衆通信回線接続ポートＤ１、Ｄ２、…、Ｄｎ毎に予め設定された識別子、又は内部電話機Ａ１、Ａ２、…、Ａｎと外部電話機との接続（外線）を選択させるための識別子、又は電話機回線Ｆ１、Ｆ２、…、Ｆｎを介して行う内部電話機Ａ１、Ａ２、…、Ａｎ同士の接続（内線）を選択させるための識別子であるとともに、内部電話機Ａ１、Ａ２、…、Ａｎに設けられたダイヤルにより表現することが可能な番号及び記号等を指す。例えば、所定の番号は数字「０〜９」及び記号「＊」及び記号「＃」等により表現されるものである。上述のように設定された所定の番号は、制御部４に記憶されることが好ましい。
【００１８】
次に、本実施形態における内部電話機Ａ１と内部電話機Ａ２とを接続させる動作につき、図面を参照して説明する。
まず、内部電話機Ａ１がオフフックするとループ信号が電話機回線Ｆ１を介して内部電話機接続ポートＣ１に送信され、内部電話機接続ポートＣ１から制御部４にループ信号が転送される。
次に、制御部４は、ループ信号を内部電話機接続ポートＣ１から受信することにより、オフフックした内部電話機Ａ１を検出する。
次に、制御部４は、接続を行う内部電話機Ａ２、…、Ａｎを選択させる信号を内部電話機Ａ１に対して送出する指示を、ガイダンス送出部５に送信すると共に、内部電話機Ａ１が接続されている内部電話機接続ポートＣ１とガイダンス送出部５とを接続スイッチ３を介して接続させる。
次に、ガイダンス送出部５は、使用されていない空き状態の内部電話機Ａ２、…、Ａｎの各々が接続されている内部電話機接続ポートＣ２、…、Ｃｎに設定された所定の番号を内部電話機Ａ１に通知する。
次に、利用者は、内部電話機Ａ１に設けられた表示手段１に表示された所定の番号を確認し、内部電話機Ａ１から通話を希望する内部電話機Ａ２に対応する所定の番号をダイヤルする。
次に、内部電話機Ａ２に対応する所定の番号を受信したガイダンス送出部５は、電話機接続ポートＣ１に対応する所定の番号と内線呼び出し信号とを内部電話機Ａ２に対して送信する。
次に、内部電話機Ａ１が接続されている電話機接続ポートＣ１に対応する所定の番号及び内線呼び出し信号を受信した内部電話機Ａ２は、受信した所定の番号を表示手段１に表示させると共に、内線呼び出し音を鳴らす。
次に、利用者が内部電話機Ａ２の表示手段１に表示された所定の番号を確認したうえで、内部電話機Ａ２をオフフックさせることにより、内部電話機Ａ２からループ信号を内部電話機接続ポートＣ２に送信する。
次に、内部電話機接続ポートＣ２は、内部電話機Ａ２から受信したループ信号を検出し、そのループ信号を制御部４に転送する。
次に、制御部４は、受信したループ信号により内部電話機Ａ２を特定し、内部電話機Ａ１と内部電話機Ａ２との通話路を接続させるメッセージを接続スイッチ３に送信する。
最後に、接続スイッチ３は、内部電話機Ａ１に接続された内部電話機接続ポートＣ１と内部電話機Ａ２に接続された内部電話機接続ポートＣ２とを接続することにより、内部電話機Ａ１と内部電話機Ａ２とを接続させる。
【００１９】
次に、本実施形態における内部電話機Ａ１からの発呼により、公衆通信回線Ｂ１を介して外部電話機と内部電話機Ａ１とを接続させる動作につき、図面を参照して説明する。
まず、内部電話機Ａ１のオフフックによるループ信号を制御部４により検出する動作は、上述の内部電話機Ａ１と内部電話機Ａ２との接続動作と同様にして行われる。
次に、制御部４は、オフフックした内部電話機Ａ１に対して、接続を行う公衆通信回線Ｂ１、Ｂ２、…、Ｂｎを選択させる指示をガイダンス送出部５に送信すると共に、内部電話機Ａ１が接続されている内部電話機接続ポートＣ１とガイダンス送出部５とを接続スイッチ３を介して接続させる。
次に、ガイダンス送出部５は、使用されていない空き公衆通信回線Ｂ１、Ｂ２、…、Ｂｎが接続されている公衆通信回線接続ポートＤ１、Ｄ２、…、Ｄｎに対応する所定の番号を、内部電話機Ａ１に対して送信する。
次に、所定の番号を受信した内部電話機Ａ１は、受信した所定の番号を表示手段１に表示させる。
次に、利用者が接続を希望する公衆通信回線接続ポートＤ１に対応する所定の番号を、内部電話機Ａ１からダイヤルすることにより、内部電話機Ａ１からガイダンス送出部５に対して所定の番号が送信される。
次に、所定の番号を受信したガイダンス送出部５は、所定の番号に対応する公衆通信回線接続ポートＤ１を特定し、制御部４に通知する。
次に、制御部４は、所定の番号を送信した内部電話機Ａ１と、その内部電話機Ａ１から受信した所定の番号に対応する公衆通信回線接続ポートＤ１とを接続させるメッセージを接続スイッチ３に送信する。
最後に、接続スイッチ３は、内部電話機接続ポートＣ１と公衆通信回線接続ポートＤ１とを接続することにより、公衆通信回線Ｂ１を介して内部電話機Ａ１と外部電話機とを接続させる。
【００２０】
次に、内部電話機Ａ１、Ａ２、…、Ａｎからの発呼により行う内部電話機Ａ１、Ａ２、…、Ａｎと外部電話機との接続又は内部電話機Ａ１、Ａ２、…、Ａｎ同士の接続を選択させるための動作を説明する。
まず、内部電話機Ａ１、Ａ２、…、Ａｎからの発呼により行う内部電話機Ａ１、Ａ２、…、Ａｎと外部電話機との接続（外線）を選択させる所定の番号を、予めキーテレホン装置に設定する。
その外線を使用させる所定の番号は、ガイダンス送出部５からオンフック状態の内部電話機Ａ１、Ａ２、…、Ａｎに送信され、オンフック状態の内部電話機Ａ１、Ａ２、…、Ａｎに外線を使用するための所定の番号を選択させる。
以上のようにして、内線と外線の切り換えが行われる。
具体的には、外線の使用を選択することができる所定の番号を「０」に設定した場合、ガイダンス送出部５から「外線０」という案内が内部電話機Ａ１、Ａ２、…、Ａｎに送信されることで、内部電話機Ａ１、Ａ２、…、Ａｎに「０」ダイヤルさせる。そのダイヤルにより内部電話機Ａ１、Ａ２、…、Ａｎから所定の番号「０」がガイダンス送出部５に送信され、所定の番号「０」を検出したガイダンス送出部５は、外線の使用であることを認識する。その後、ガイダンス送出部５から通話接続されていない使用可能な公衆通信回線Ｄ１、Ｄ２、…、Ｄｎに対応する所定の番号を送信させ、内部電話機Ａ１、Ａ２、…、Ａｎのダイヤルにより使用可能な公衆通信回線ポートＤ１、Ｄ２、…、Ｄｎを選択させる。
また、内部電話機Ａ１、Ａ２、…、Ａｎと外部電話機との接続動作及び内部電話機Ａ１、Ａ２、…、Ａｎ同士の接続動作は、上述の接続動作と同様にして行われる。
【００２１】
次に、本実施形態における公衆通信回線Ｂ１を介して外部電話機からキーテレホン装置２に着呼があった場合に着呼のあった公衆通信回線Ｂ１と内部電話機Ａ１との通話を接続させる動作につき、図面を参照して説明する。
まず、図示しない電話局（交換機）を介して外部電話機から呼び出し信号が公衆通信回線Ｂ１に送出されると、その公衆通信回線Ｂ１に接続された公衆通信回線接続ポートＤ１では、着呼があったことを検出し、呼び出し信号を制御部４に転送する。
次に、制御部４は公衆通信回線接続ポートＤ１から呼び出し信号を受信することにより、着呼のあった公衆通信回線Ｂ１を特定する。
次に、制御部４は、ループ信号を送信していないオンフック状態の内部電話機Ａ１、Ａ２、…、Ａｎに接続された内部電話機接続ポートＣ１、Ｃ２、…Ｃｎに対し、呼び出し信号の着信により着呼があった公衆通信回線接続ポートＤ１に対応する所定の番号と呼び出し信号とを送信する。
次に、公衆通信回線接続ポートＤ１に対応する所定の番号と呼び出し信号とを受信した内部電話機Ａ１、Ａ２、…、Ａｎは、呼び出し音を鳴らすと共に、表示手段１に受信した所定の番号を表示させることにより、公衆通信回線Ｂ１を介して公衆通信回線接続ポートＤ１に着信があることを利用者に通知する。
最後に、制御部４は、オフフックしたうえで、着呼のあった公衆通信回線通信ポートＤ１に対応する所定の番号をダイヤルした内部電話機Ａ１と外部電話機とを接続させるメッセージを接続スイッチに送信することで、内部電話機Ａ１と外部電話機とを接続させる。ここで、着信のあった公衆通信回線Ｂ１と所定の番号をダイヤルした内部電話機Ａ１との通話を接続させたことを契機として、他の内部電話機Ａ２、…、Ａｎへの呼び出し信号の送信を停止させる。
【００２２】
また、二以上の公衆通信回線Ｂ１、Ｂ２、…、Ｂｎを介して二以上の外部電話機から同時に着呼があった場合については、着呼のあった公衆通信回線接続ポートＤ１、Ｄ２、…、Ｄｎに対応する所定の番号のすべてを、呼び出し信号と共にオンフック状態の内部電話機Ａ１、Ａ２、…、Ａｎに送信することで通知する。
【００２３】
また、公衆通信回線接続ポートＤ１、Ｄ２、…、Ｄｎに着呼があった場合、呼び出し信号及び着呼があった公衆通信回線接続ポートＤ１、Ｄ２、…、Ｄｎに対応する所定の番号を受信する内部電話機Ａ１、Ａ２、…、Ａｎは、その内部電話機Ａ１、Ａ２、…、Ａｎが接続された電話機回線接続ポートＣ１、Ｃ２、…、Ｃｎ毎に予め受信可能とする設定が行われても良い。かかる設定は、所定の番号により特定され、制御部４にて行われることが好ましい。
逆に、呼び出し信号を受信するように登録されていない電話機回線接続ポートＣ１、Ｃ２、…、Ｃｎと接続された内部電話機Ａ１、Ａ２、…、Ａｎを、内部電話機Ａ２とすると、その内部電話機Ａ２については、オンフック状態であっても呼び出し信号が受信されないように設定することを可能としても良い。
【００２４】
（実施の形態２）
次に、上述の実施形態１とは異なる本発明のキーテレホン装置及びキーテレホンシステムの実施形態２につき、図面を参照して説明する。
図２に示すように、本発明のキーテレホンシステムの構成を、ＬＡＮ（Local Area Network）を利用して構築し、実施形態１における表示手段１をパーソナルコンピュータのディスプレイとしても良い。
【００２５】
また、図３に示すように、本発明のキーテレホン装置及びキーテレホンシステムの通信回線にｘＤＳＬ（x Digital Subscriber Line）を採用し、キーテレホン装置２と内部電話機Ａ１、Ａ２、…、Ａｎとの間、すなわち、電話機回線Ｆ１、Ｆ２、…、Ｆｎ上にスプリッタ６及びモデム９を配置して構成させても良い。図３に示した本発明のキーテレホン装置及びキーテレホンシステムでは、スプリッタ６により音声信号と呼び出し信号及び所定の番号及びループ信号等の制御信号とを分離し、その制御信号をパーソナルコンピュータ（図示せず）で受信することにより、パーソナルコンピュータのディスプレイ（表示手段１）上にて、キーテレホン装置及びキーテレホンシステムの制御動作を確認又は管理することができる。
【００２６】
また、図３に示す構成に加え、図４に示すように、キーテレホン装置２と公衆通信回線Ｂ１、Ｂ２、…、Ｂｎとの間にスプリッタ６を配置し、そのスプリッタ６により、音声信号と制御信号とを分離し、公衆通信回線Ｂ１、Ｂ２、…、Ｂｎに分離された音声信号と制御信号とを送信するしても良い。この場合、電話局側にて、利用者の通話又はその通話にかかるキーテレホン装置及びキーテレホンシステムの制御動作を確認又は管理することができる。
【００２７】
また、以上に説明した各実施形態において、ガイダンス送出部５を制御部４に設けても良い。
さらに、以上に説明した各実施形態において、表示手段１に表示される所定の番号を制御部４又はガイダンス送出部５から音声信号として送信しても良く、その場合、表示手段１を有していない内部電話機Ａ１、Ａ２、…、Ａｎをキーテレホンシステムに採用することができる。
【００２８】
【発明の効果】
以上に説明した本発明のキーテレホン装置及びキーテレホンシステムによれば以下の効果を奏する。
一般家庭用の内部電話機を含め、汎用の周辺機器を採用することができるため、導入コストを大幅に低減させると共に、汎用性を向上させることができる。
一般家庭用の内部電話機を採用することができることから、特殊な機器又は手段を必要とせずに、汎用のモデム等を利用したモジュラージャック接続によるダイヤルアップ式インターネット接続などを簡易かつ安価に実現することができる。すなわち、利用者は、量産された低価格な汎用の周辺機器を利用することができることから、低コスト化及び利便性の向上を実現することができる。
【００２９】
【図面の簡単な説明】
【図１】本発明の実施の形態１のキーテレホン装置及びキーテレホンシステムの構成図
【図２】本発明の実施の形態２のキーテレホン装置及びキーテレホンシステムの構成図
【図３】本発明の実施の形態２のキーテレホン装置及びキーテレホンシステムの構成図
【図４】本発明の実施の形態２のキーテレホン装置及びキーテレホンシステムの構成図
【図５】従来のキーテレホン装置及びキーテレホンシステムの構成図
【符号の説明】
１    表示手段
２    キーテレホン装置
３    通話スイッチ
４    制御部
５    ガイダンス送出部
６    スプリッタ
７    通話制御部
８    通話インターフェイス部
９    モデム
Ａ１、Ａ２、…Ａｎ    内部電話機
Ｂ１、Ｂ２、…Ｂｎ    公衆通信回線
Ｃ１、Ｃ２、…Ｃｎ    内部電話機接続ポート
Ｄ１、Ｄ２、…Ｄｎ    公衆通信回線接続ポート
Ｅ１、Ｅ２、…Ｅｎ    専用内部電話機
Ｆ１、Ｆ２、…Ｆｎ    電話機回線
【図１】
0003700604.tif 000002
【図２】
0003700604.tif 000003
【図３】
0003700604.tif 000004
【図４】
0003700604.tif 000005
【図５】
0003700604.tif 000006